(57)【要約】【課題】  折畳み自在であることを利用して撮影機能を高めた携帯機器を提供する。【解決手段】  第１の筐体１０と第２の筐体１１とが展開されたときにその第１の筐体１０と第２の筐体１１との開閉角度に応じて撮影レンズ１０Ａ〜１０Ｄの繰出量等のピント状態を変化させる。このように開閉角度に応じたピント位置を設定することができるようにすることで異なる撮影距離（ピント位置）での撮影を行なうことができる、高機能な撮影機器を提供する。【選択図】  図２
2005338208.tif 000002
【特許請求の範囲】
【請求項１】
相互にヒンジ接続されて開閉される第１の筐体と第２の筐体とを備えた携帯機器において、
撮影レンズを含む構成であって該撮影レンズを経由して入射してきた被写体光を捉えることにより撮影を行なう撮影装置を備え、
前記撮影装置が、前記第１の筐体と前記第２の筐体との間の開閉角度に応じて前記撮影レンズのピント位置を変化させるピント調整機構を備えたものであることを特徴とする携帯機器。
【請求項２】
前記ピント調整機構は、前記撮影レンズを保持するレンズ保持枠と、
前記第１の筐体と前記第２の筐体の開閉動作に伴って移動するリンク部材と、
前記レンズ保持枠に対し光軸方向に重なる位置に設けられた、前記リンク部材の移動により回動するカムリングとを備え、
前記レンズ保持枠と前記カムリングが、該カムリングの回動に伴って該レンズ保持枠を光軸方向に移動させるように相互にカム係合されたものであることを特徴とする請求項１記載の携帯機器。
【発明の詳細な説明】
【技術分野】
【０００１】
本発明は、相互にヒンジ接続されて開閉される第１の筐体と第２の筐体とを備えた携帯機器に関する。
【背景技術】
【０００２】
機器の中には小型で軽くて携帯するのに便利な携帯機器がある。そのようなものの中には撮影装置や携帯電話器といった携帯機器があり、最近では双方の装置が一体的になって携帯電話器に撮影装置が配備されたものがある。
【０００３】
この撮影装置が配備された携帯電話器の中には、相互にヒンジ接続されて開閉される第１の筐体と第２の筐体とを備え、その第１の筐体とその第２の筐体の表面どうしが対向するように折畳まれた折畳み状態と、その第１の筐体とその第２の筐体双方の表面が略同一方向を向いた展開状態とを有し、携帯時には折畳み状態にしてから携帯され使用時には展開状態に展開されてから使用されるものがある（例えば特許文献１参照）。この折畳み自在の携帯電話器は爆発的に普及している。
【０００４】
ところでこのような携帯機器に撮影装置を搭載しようとすると、低廉かつ小型なものであることが要求されるため、どうしても固定焦点タイプのような簡単な構成のものになってしまう。
【０００５】
今後は低廉化を図りながら携帯機器に搭載される撮影装置の機能を高めていき撮影専用の撮影装置と同等の撮影機能を付加しようという動きが出てきている。
【特許文献１】特開２００４−６４１１９号公報
【発明の開示】
【発明が解決しようとする課題】
【０００６】
本発明は、上記事情に鑑み、折畳み自在であることを利用して撮影機能を高めた携帯機器を提供することを目的とする。
【課題を解決するための手段】
【０００７】
上記目的を達成する本発明の携帯機器は、相互にヒンジ接続されて開閉される第１の筐体と第２の筐体とを備えたけ携帯機器において、
撮影レンズを含む構成であってその撮影レンズを経由して入射してきた被写体光を捉えることにより撮影を行なう撮影装置を備え、
上記撮影装置が、上記第１の筐体と前記第２の筐体との間の開閉角度に応じて撮影レンズのピント位置を変化させるピント調整機構を備えたものであることを特徴とする。
【０００８】
上記本発明の携帯機器によれば、上記第１の筐体と上記第２の筐体との間の開閉角度に応じて撮影レンズのピント位置を変えることが自在な撮影装置が構成される。その結果、固定焦点だけでなく様々な撮影距離での撮影を楽しむことができる、高い撮影機能を持つ携帯機器が実現される。
【０００９】
ここで、上記撮影レンズを保持するレンズ保持枠と、
上記第１の筐体と前記第２の筐体の開閉動作に伴って移動するリンク部材と、
上記レンズ保持枠に対し光軸方向に重なる位置に設けられた、上記リンク部材の移動により回動するカムリングとを備え、
上記レンズ保持枠と上記カムリングが、そのカムリングの回動に伴ってそのレンズ保持枠を光軸方向に移動させるように相互にカム係合されたものであることが好ましい。
【００１０】
このように開閉動作に伴って直進動作を行なうリンク部材を設けるという簡単な構造で上記ピント調整機構が実現され、そのピント調整機構が第１の筐体と第２の筐体の開閉動作に伴って撮影レンズを光軸方向に動かすことでピント調整が行なわれる。
【００１１】
その結果、簡単な構造にすることで低廉化を図りながら、この携帯機器が備える撮影装置の機能を高めることができる。
【発明の効果】
【００１２】
以上、説明したように、折畳み自在であることを利用して撮影機能を高めた携帯機器が実現される。
【発明を実施するための最良の形態】
【００１３】
以下図面を参照して本発明の実施の形態を説明する。
【００１４】
本発明の実施形態である携帯機器の一例として携帯電話器１を例に掲げて以下説明する。
【００１５】
図１、図２は、折畳み式の携帯電話器１の外観を示す図である。
【００１６】
図１（ａ）には、折畳み状態にあるときの携帯電話器１を斜め上方から見た図が、図１（ｂ）には図１（ａ）の携帯電話器１の第１の筐体１０の裏面側の外観が、図１（ｃ）には図１（ａ）の携帯電話器１を側方から見た図がそれぞれ示されている。
【００１７】
また、図２（ａ）には、展開状態にあるときの携帯電話器１を斜め上方から見た図が、図２（ｂ）には第１の筐体１０と第２の筐体１１とが展開され、双方の間の開閉角度が所定の角度まで展開されたときの携帯電話器１を側方から見た図が、図２（ｃ）には第１の筐体１０と第２の筐体１１とが略同一平面になる位置まで展開された携帯電話機を側方から見た図がそれぞれ示されている。
【００１８】
図１、図２に示す携帯電話器１は、相互にヒンジ接続されて開閉される第１の筐体１０と第２の筐体１１とを備え、第１の筐体１０と第２の筐体１１の表面どうしが対向するように折畳まれた折畳み状態（図１参照）から第１の筐体１０と第２の筐体１１との間の角度が様々な開閉角度に展開され用いられるものである（図２参照）。この携帯電話器１は撮影レンズ１０Ａ〜１０Ｄを経由して入射してきた被写体光を捉えることにより撮影を行なう撮影装置を備えたものでもあって、その撮影装置が、第１の筐体１０と第２の筐体１１との間の開閉角度に応じて撮影レンズ１０Ａ〜１０Ｄのピント位置を変化させるピント調整機構を備えている。このピント調整機構については後述するが、このピント調整機構は、上記開閉角度に応じて撮影レンズの繰出量または撮影光学系を構成する複数のレンズの内１つまたは複数のレンズの位置を変化させるものである。ここでは、１例としてレンズの繰出量を変化させる例を示す。図２（ｂ）には第１の筐体１０と第２の筐体１１とが図２（ｃ）に示す展開状態まで展開されるまでの途中の状態にあるときに撮影レンズ１０Ａ〜１０Ｄが繰り出された様子が、図２（ｃ）には第１の筐体１０と第２の筐体１１とが略同一平面になるまで展開された状態にあるときにはその繰り出されていた撮影レンズがさらに繰り出された様子がそれぞれ示されている。なお、図１、図２には４つの撮影レンズ１０Ａ〜１０Ｄを用いて多眼式の撮影装置が構成された場合の例が示されているが、本発明を実現するためには１つの撮影レンズがあれば良い。ここでは１つの撮影レンズに限らず４つの撮影レンズであっても後述するピント調整機構に応じてそれら４つの撮影レンズ１０Ａ〜１０Ｄのピント調整を即時に行なうことができることを示すため、わざわざ４つの撮影レンズ１０Ａ〜１０Ｄを図中示してある。これらの４つの撮影レンズは後述するピント調整機構によりすべて同じピント位置にピントが調整される。
【００１９】
ここで、そのピント調整機構の構成を、図３〜図６を参照して説明する。
【００２０】
図３は、この携帯電話器１の第１の筐体１０と第２の筐体１１の表面どうしが対向するように折畳まれた折畳み状態にあるときの第１の筐体１０の内部に配設されているピント調整機構の一部を上方から見た図であり、図４はその折畳み状態にあるときのピント調整機構を側方から見た図である。また図５は、この携帯電話器１が図２に示す展開状態にあるときの携帯電話器の第１の筐体１０の内部に配設されているピント調整機構を上方から見た図であり、図６は図２に示す展開状態にあるときのピント調整機構を側方から見た図である。なお、図３、図５には図３（ｂ），図５（ｂ）として回動軸１１ａ付近に配設されている円筒部材１１０１に設けられたカム溝１１０１Ａの展開図も示されている。
【００２１】
図１〜図２で説明したように、この携帯電話器１は、相互にヒンジ接続されて開閉される第１の筐体１０と第２の筐体１１とを備え、第１の筐体１０と第２の筐体１１の表面どうしが対向するように折畳まれた折畳み状態から第１の筐体１０あるいは第２の筐体１１に対して第２の筐体１１あるいは第１の筐体１０が展開されて用いられるものである。この携帯電話器１には撮影装置が配備されており、その撮影装置が、撮影レンズ１０Ａ〜１０Ｄを、折畳み状態から展開状態への移行に伴って繰出させるとともに、展開状態から折畳み状態への移行に伴って沈胴させるピント調整機構を備えたものである。本実施形態においては、この携帯電話器１が備えるヒンジ部周辺にそのピント調整機構が配設されている。
【００２２】
そのヒンジは、第１の筐体１０の受孔部１０１に第２の筐体の回動軸１１ａが嵌め入れられることによって形成されたものであって、そのヒンジを構成する第２の筐体１１の回動軸１１ａの回動に伴ってピント調整機構が作動するようにピント調整機構がヒンジ周辺に配設されている。図３（ａ）には、第１の筐体１０の内部に配設されているピント調整機構とヒンジ部との係わりがよく分かるように、図３中に示した多角形の形状で示す切取線に沿って第１の筐体１０の一部を切り取ってその第１の筐体１０の内部のピント調整機構を見た図が示されている。前述したように実際には一つの撮影レンズで良く、以降においては主に一つの撮影レンズ１０Ｂを取り上げてピント調整機構を説明する。
【００２３】
なお、この例においては、一つの撮影レンズのピント調整（撮影レンズの移動）に伴って他の３つの撮影レンズのピント調整が同時に行なわれ、４つのレンズそれぞれが同じピント位置にセットされる撮影装置が示されている。この図３に示すような撮影装置を構成しておくと、パノラマ撮影や立体撮影といった様々な機能をこの撮影装置に持たせることができる。
【００２４】
図３〜図６を参照して撮影レンズ１０Ｂのピント調整機構の構成を説明する。
【００２５】
図３（ａ）に示すピント調整機構は、撮影レンズ１０Ｂを保持するレンズ保持枠１０４Ｂと、第１の筐体１０と第２の筐体１１の開閉動作に伴って移動するリンク部材１０２と、レンズ保持枠１０４Ｂに対し光軸方向に重なる位置に設けられた、リンク部材１０２の移動により回動するカムリング１０３Ｂとを備えたものであり、この例では、第２の筐体１１の回動軸１１ａにリンク部材１０２近くまで達するような円筒部材１１０１を設けて、その円筒部材１１０１の回動を、リンク部材１０２を介してカムリング１０３Ｂに伝えるようにしている。
【００２６】
この円筒部材１１０１には回動方向に対して傾斜を持つカム溝１１０１Ａ（図３（ｂ）、図５（ｂ）参照）が設けられそのカム溝１１０１Ａにリンク部材１０２に設けたカムピン１０２１が嵌入されている。このため、第１の筐体１０と第２の筐体１１の開閉動作に伴って円筒部材１１０１が回動してカムピン１０２１がカム溝１１０１Ａに沿って動くと、リンク部材１０２が図３（ａ）、図５（ａ）の左右いずれかの方向に動く。またこのリンク部材１０２が安定した直進動作（左右いずれかの方向）を行なうように、図３（ａ）、図５（ａ）に示すリンク部材１０２には、第１の筐体１０側に設けられたガイドピン１００Ａ，１００Ｂが嵌入されるガイド孔１０２２，１０２３が設けられている。そのリンク部材１０２の安定した直進動作に伴って、そのリンク部材１０２と係合しているカムリング１０３Ｂが回動する。ここではカムリングをリンク部材の直進動作に伴って回動させるために、そのカムリング１０３Ｂから外方へ向けて突出するようにして設けられた突出部１０３０をそのリンク部材１０２の切欠部１０２４に係合させている。
【００２７】
ここでピント調整機構の動作を簡単に説明する。
【００２８】
図３〜図４に示す折畳み状態にあるときに例えば第１の筐体１０に対して第２の筐体１１がユーザによって回動され折畳み状態から第１の筐体１０と第２の筐体１１とが展開されると、その第２の筐体１１の回動に伴って回動軸１１ａが回動してその回動軸１１ａの回動に伴ってリンク部材１０２が図３（ａ）、図５（ａ）の右側方向に動く。例えば図２（ｂ）に示す位置まで第２の筐体が展開されたとすると、リンク部材１０２のカムピン１０２４が図５（ａ）に示す点線位置（図５（ｂ）の点線位置）に達する。このようにしてリンク部材１０２が動くと切欠部１０２４に係合されている突出部１０３０の動きに伴ってカムリング１０３Ｂが回動し、撮影レンズ１０４Ｂがそのリンク部材１０２の動きに応じた位置まで繰出される。そうすると、図２（ｂ）に示すように撮影レンズ１０４Ｂが所定の位置まで繰り出され所定のピント位置にピントがセットされる。
【００２９】
その展開状態からさらに第１の筐体１０と第２の筐体１１とが略同一の平面になるまで展開されると、リンク部材１０２がカム溝１１０１Ａの右端（図５（ａ）、（ｂ）中実線で示した位置）まで達してそのリンク部材１０２の動きに応じてカムリング１０３Ｂが回動して撮影レンズ１０Ｂがさらに繰り出される（図２（ｃ）参照）。
【００３０】
このようにしておくと、開閉角度に応じて撮影レンズの繰出位置が変わり、その撮影レンズの繰出位置に応じて異なるピント位置がセットされる。
【００３１】
逆に第１の筐体１０と第２の筐体１１とが折り畳まれると、図３（ｂ）に示すようにリンク部材１０２のカムピン１０２１はカム溝１１０１Ａの左端にまで達し、カムリング１０３Ｂが先ほどとは逆方向に回動して撮影レンズ１０４Ｂが完全に第１の筐体１０内に沈胴する（図１（ｃ）参照）。
【００３２】
このようにカムリングを開閉角度に応じて回動させ、撮影レンズ１０Ａ〜１０Ｄの繰出位置を変化させることによって撮影レンズのピント位置が最至近点から最遠点まで連続的に調整される。
【００３３】
なお、図３（ａ）、図５（ａ）にカムリング１０３Ｂとカムリング１０３Ｄとを連結ギア１０５により連結することで撮影レンズ１０Ｂを繰り出すときに撮影レンズ１０Ｄも繰り出すことが可能であることを示し、さらにもういくつかの連結ギアを付加すれば４つの撮影レンズを同じように移動させることが容易であることが示されている。
【００３４】
以上説明したように折畳み状態から展開状態への移行、また展開状態から折畳み状態への移行に伴ってピント調整機構を連動させ、そのピント調整機構を構成するカムリングを回動させることによってレンズ保持枠１０４Ａ〜１０４Ｄそれぞれを繰出させたり、沈胴させたりすることで、場所をとらないコンパクトなピント調整機構が実現される。このようにコンパクトなピント調整機構が構成されると、この携帯電話器を構成する第１の筐体１０および第２の筐体１１双方をコンパクトにすることもできる。
【００３５】
最後にレンズ保持枠１０４Ａ〜１０４Ｄのカムピン１０４１Ａ〜１０４１Ｄとそのレンズ保持枠１０４１Ａ〜１０４１Ｄに重なる位置に配設されたカムリング１０３Ａ〜１０３Ｄがどのように係合しているかを説明しておく。
【００３６】
図７はレンズ保持枠１０４Ａ〜１０４Ｄとカムリング１０３Ａ〜１０３Ｄが相互にカム係合されている状態を示す図である。いままでの図ではレンズ保持枠１０４Ａ〜１０４Ｄのカムピン１０４１Ａ〜１０４１Ｄとそのレンズ保持枠１０４Ａ〜１０４Ｄに対して重なる位置に設けられたカムリング１０３Ａ〜１０３Ｄとの係わりが判りづらいので図７（ａ）にはそのレンズ保持枠１０４Ａ〜１０４Ｄとカムリング１０３Ａ〜１０３Ｄの係わりを示す図が示されている。
【００３７】
図７（ａ）に示すようにレンズ保持枠１０４Ａ〜１０４Ｄに重なる位置にカムリング１０３Ａ〜１０３Ｄが配置され、各カムリング１０３Ａ〜１０３Ｄに各レンズ保持枠１０４Ａ〜１０４Ｄの各カムピン１０４１Ａ〜１０４Ｄが係合するカム溝１０３１Ａ〜１０３１Ｄがそれぞれ設けられ、それらのカム溝１０３１Ａ〜１０３１Ｄに各レンズ保持枠１０４Ａ〜１０４Ｄの各カムピン１０４１Ａ〜１０４１Ｄがそれぞれ係合している。なお図７（ａ）には、カムピンとカム溝との間の係合状態を分かりやすく示すため、実際には３組づつ設けられているカムピン１０４１Ａ〜１０４３Ａ，１０４１Ｂ〜１０４３Ｂ、１０４３Ｃ〜１０４３Ｃ、１０４３Ｄ〜１０４３Ｄと、カム溝１０３１Ａ〜１０３３Ａ，１０３１Ｂ〜１０３３Ｂ、１０３１Ｃ〜１０３３Ｃ、１０３３Ｄ〜１０３３Ｄの組合せのうちの一つの係合状態のみが示され、図７（ｂ）に示す係合図には１つのレンズ保持枠１０４Ａ（あるいは１０４Ｂあるいは１０４Ｃあるいは１０４Ｄ）の３つのカムピン１０４１Ａ〜１０４３Ａと３つのカム溝１０３１Ａ〜１０３３Ａとの間の係合状態がすべて示されている。また、各レンズ保持枠１０４Ａ〜１０４Ｄの各カムピン１０４１Ａ〜１０４１Ｄを各カムリング１０３Ａ〜１０３Ｄの各カム溝１０３１Ａ〜１０３１Ｄにしっかりと係合させるために各レンズ保持枠１０４Ａ〜１０４Ｄをカムリング１０３Ａ〜１０３Ｄ側に付勢するバネ部材１０６Ａ〜１０６Ｄを設けてある。
【００３８】
前述したように本発明を実現するためには１つの撮影レンズ１０Ｂがあれば良いので、以降の説明においては撮影レンズ１０Ｂを取り上げてその動作を説明する。
【００３９】
図７（ａ）に示すように、レンズ保持枠１０４Ｂとカムリング１０３Ｂとが相互にカム係合された状態でカムリング１０３Ｂが回動されると、カム溝１０３１Ｂの傾斜（図７（ｂ）参照）に沿ってカムピン１０４１Ｂが移動してレンズ保持枠１０４Ｂも移動する。このとき、レンズ保持枠１０４Ｂのカムピン１０４１Ｂを傾斜のいずれかの位置に配置することでレンズ保持枠１０４Ｂの光軸方向の移動距離が調整されて撮影レンズが繰り出される。
【００４０】
図７に示すレンズ保持枠１０４Ｂのカムピン１０４１Ｂがカム溝１０３１Ｂの傾斜のどの位置のところに配置されるかは、前述したようにカムリング１０３Ｂをどの程度回転させるかに応じて定められ、そのどの程度回転させるかは第１の筐体１０と第２の筐体１１との開閉角度に応じて定められる。
【００４１】
このように第１の筐体１０と第２の筐体１１との間の開閉角度に応じたピント位置に撮影レンズがセットされる。また、このピント調整機構に連結ギアを付加することによって、複数の撮影レンズがこの携帯機機に配備されたとしても、その複数の撮影レンズすべてのピント位置を調整することができるピント調整機構が実現される。このようにすると、低廉かつ小型であって拡張機能を持つ携帯機器が構成自在となる。
【００４２】
なお、本実施例では、第１の筐体と第２の筐体の開閉角度に応じてレンズの量を繰出変化させる例を示したが、第１の筐体と第２の筐体の開閉角度に応じて撮影光学系を構成する複数のレンズの内１つまたは複数のレンズの位置を変化させるものであっても良い。また、本実施形態ではピント位置を調整したが、焦点距離を調整するものであっても良い。
【図面の簡単な説明】
【００４３】
【図１】折畳み式の携帯電話器１の外観を示す図であって、その折畳み式の携帯電話器が折畳み状態にあるときの外観を示す図である。
【図２】折畳み式の携帯電話器１の外観を示す図であって、その折畳み式の携帯電話器が展開状態にあるときの外観を示す図である。
【図３】この携帯電話器１が折畳み状態にあるときに携帯電話器の第１の筐体の内部に配設されているピント調整機構を上方から見た図である。
【図４】ピント調整機構を側方から見た図である。
【図５】この携帯電話器１が展開状態にあるときに携帯電話器内部に配設されているピント調整機構を上方から見た図である。
【図６】ピント調整機構を側方から見た図である。
【図７】レンズ保持枠とカムリングがカム係合されている状態を示すカム展開図である。
【符号の説明】
【００４４】
１    携帯電話器
１０    第１の筐体
１０Ａ〜１０Ｄ    撮影レンズ
１０１    受孔部
１０２    リンク部材
１０２１    カムピン
１０３Ａ〜１０３Ｄ    カムリング
１０３０    突出部
１０３１Ａ〜１０３１Ｄ    カム溝
１０３２Ａ〜１０３２Ｄ    カム溝
１０３３Ａ〜１０３３Ｄ    カム溝
１０４Ａ〜１０４Ｄ    レンズ保持枠
１０４１Ａ〜１０４１Ｄ    カムピン
１０４２Ａ〜１０４２Ｄ    カムピン
１０４３Ａ〜１０４３Ｄ    カムピン
１０５    連結ギア
１０６Ａ〜１０６Ｄ  バネ部材
１１    第２の筐体
１１ａ    回動軸
１１０１    円筒部材
１１０１Ａ    カム溝
１１０    表示画面
【図１】
2005338208.tif 000003
【図２】
2005338208.tif 000004
【図３】
2005338208.tif 000005
【図４】
2005338208.tif 000006
【図５】
2005338208.tif 000007
【図６】
2005338208.tif 000008
【図７】
2005338208.tif 000009